Podtech/llm-jp-corpus-v4-ja_patent huggingface dataset:
(57)【要約】      （修正有）【課題】普段、靴を履く生活の中で足の蒸れ、蒸れからくる匂い、指の股の不潔から侵される水虫、指の股を広げて空気に晒して圧迫されていた指を広げることで血行を促し、乾かすことで、蒸れからくる匂いを緩和し、水虫になることを押さえる、指の股を広げる構成にした器具の提供。【解決手段】弾性を有する板に、足の指が入る５つの穴を設け、穴は指を挿入すること指の股が広がる間隔とした器具。【選択図】図１
0003117568.tif 000002
【実用新案登録請求の範囲】
【請求項１】
弾性を有する板に足の指が入る穴５つをを設け、指と指間を広がるように設けた器具。
【考案の詳細な説明】
【技術分野】
【０００１】本考案は、足の指が入る５っつの穴を弾性を有する板に設ける。穴は足の指を入れて指の股が広がる間隔に設ける。普段、靴等で圧迫されている足の指のあいを広げ、空気に晒して乾かし圧迫されていた指を広げることで血行を促し、乾かすことで、蒸からくる匂いを緩和し、水虫になることを押さえ、外した後に指先のマッサージを受けたような爽快感を感じる器具に関するものである。
【背景技術】
【０００２】体の末端にあり、我々人間の大切な役割をもっているのにあまり考えられなかった足の指先のケアーに関するものである。従来より、靴下に手袋のように指を設け、靴下を履いたときに指先が離れるものはあったが、履くときも大へんで、脱いだ後の指のあいだが、空気に触れる事はなく、また反対に靴下からそれぞれの指が出るサポウターのようなものも在るが、指の股の奥にサポウターの一部が在るため、指の付け根を乾かし足の蒸れるのを和らげ、また水虫に罹っている人の水虫の中心となる指の付け根に薬を塗り乾かし治療を早めることは出来なかった。また人の中には靴を脱ぐと自然に指と指の間が離れる人もいるが、そをゆう人は総体的に足の蒸れも少なく匂いも少なく水虫もなかった。そをゆう人も靴を履いた時の条件は同じで靴の中は蒸れるが、靴を脱いだ後、指が開き指の間も空気に触れてすぐ乾き匂いも少なくなっていた。そのことから人工的に指の間を開き空気に触れて乾く器具の開発にあった。
【考案の開示】
【考案が解決しようとする課題】
【０００３】普段、靴を履く生活の中で足の蒸れ、蒸れからくる匂い、指の又の不潔から侵される水虫、指の股を広げて空気に晒して圧迫されていた指を広げることで血行を促し、乾かすことで蒸れからくる匂いを緩和し、水虫になることを押さえる、構成にしたところに課題の解決がある。
【課題が解決するための手段】
【０００４】本考案は、上記の如き問題を解決するために開発したものであって、弾性を有する板に足の指が入る５この穴を設け、穴は指を挿入すると指の股が広がる間隔とした器具の提供にある。
【考案の効果】
【０００５】本考案は、足の指と指の間が開かない人が、靴を履く生活のなかで指を圧迫され、血行を悪くし、蒸れて不潔になって水虫に侵されるのを防ぐために。弾性を有する板に足の指が入る５つの穴を設け、穴は指を挿入すると指の股が広がる間隔に設けることで、靴を脱いだ後、装着することで指の股を広げて空気に触れて乾かし蒸れを取り、匂いを和らげ水虫になることを押さえ、装着した吸湿性の悪い弾性を有する板は、指を動かすことで移動させることで装着した弾性を有する板の蒸れを防ぎ、指を動かすことで血行を更に促す効果がある。
【考案を実施するための最良の形態】
【０００６】本考案の実施形態は、靴を脱いだ足の指を、弾性を有する板に設けた、足の指が入る５つの穴に指を入れて、圧迫されていた指の股を広げ、指の間が乾き、匂いを和らげ、水虫を押さえるよう軽便に構成された器具。
【実施例】
【０００７】以下、図面に従って本考案の実施例について説明する。図１は弾性を有する板（１）に設けた、足（３）の指（４）が入る５つの穴（２）に足の指（４）を入れ、指（４）と指（４）の間を広げて指の間（５）を広げて指（４）の血行を促し空気にさらして、乾かすことで足の蒸れからくる匂いを和らげ、水虫になることを押さえて、爽快な気分にするように構成された器具。
【図面の簡単な説明】
【０００８】
【図１】  本考案の正面図
【図２】  本考案を装着した時の正面図
【図３】  本考案を装着した時の背面図
【符号の説明】
【０００９】    １、  弾性を有する板
２、  指が入る穴
３、  足
４、  指
５、  指と指の隙間
【図１】
0003117568.tif 000003
【図３】
0003117568.tif 000004
【手続補正書】
【提出日】平成17年8月15日(2005.8.15)
【手続補正１】
【補正対象書類名】図面
【補正対象項目名】図１
【補正方法】変更
【補正の内容】
【図１】
0003117568.tif 000005
【手続補正２】
【補正対象書類名】図面
【補正対象項目名】図２
【補正方法】変更
【補正の内容】
【図２】
0003117568.tif 000006
【手続補正書】
【提出日】平成17年10月11日(2005.10.11)
【手続補正１】
【補正対象書類名】図面
【補正対象項目名】図１
【補正方法】変更
【補正の内容】
【図１】
0003117568.tif 000007
(57)【要約】      （修正有）【課題】強度が強く、はらみ、パンクを押えることができるアングルピースを提供する。【解決手段】水平部分と、垂直部分が９０度でありＬ字状をしたアングルピースを用意する。その水平部分に孔を数個設ける、このアングルピース３を水平部分は躯体１に垂直部分は鋼製型枠２に当て、孔の部分でボルトナット８により躯体に固定する。するとボルトナットにより強度が強いものが出来、はらみ、パンクを防ぐ。【選択図】図４
0003117543.tif 000002
【実用新案登録請求の範囲】
【請求項１】
躯体の上の鋼製型枠の外側から密着して下へ挿入するもので、鋼製型枠に接した垂直部分と躯体に接した水平部分がＬ字状になったもので、設鋼製型枠に点溶接され該躯体にボルトで固定する孔を持つ壁建設時に用いられるアングルピース。
【考案の詳細な説明】
【技術分野】
【０００１】
本考案は、耐震用に鉄骨を壁に埋め込む時に用いるアングルピースに関する。
【背景技術】
【０００２】
耐震用に鉄骨ブレースという鉄骨を壁に埋め込む時、中心にＨ型鋼を用い中にグラウドという高品質のコンクリートを流し込む。そのグラウドが、圧力がかかり、外の鉄板であつ鋼製型枠を押し、はらむという状態になる。これを押えるため、はらみアンカーというものを鉄板に沿って多数打ち込む。しかし、手間がかかり、非効率的である。はらみ止めアンカー打設の甘さにより、鋼製型枠がはらんだり、パンクが起こる。
【特許文献１】特記するものは全くありません。
【非特許文献１】はらみアンカーによるものは多数あるが、アングルピースのものは全くありません。
【考案の開示】
【考案が解決しようとする課題】
【０００３】
本考案は、より効率的に鋼製型枠のはらみ及びパンクを押える。
【課題を解決するための手段】
【０００４】
本考案は、躯体の上の鋼製型枠の外側から密着して下へ挿入するもので、鋼製型枠に接した垂直部分と躯体に接した水平部分がＬ字状になったもので、設鋼製型枠に点溶接され該躯体にボルトで固定する孔を持つ壁建設時に用いられるアングルピースである。
【考案の効果】
【０００５】
アングルピースの固定により、鋼製型枠のはらみ、パンクを防止する。又、従来例のはらみ止めアンカー打設は、８ｍスパンで一面２００本要る。しかし、本考案のアングルピースによると、アンカーが少量で済み、一面４０本で足りる。又、それによる手間の削減も大きい。アングルピースの固定により型枠の開く力をアンカーボルトのせん断力で持たせる。従来例のアンカー打設より強い。
【考案を実施するための最良の形態】
【０００６】
躯体１に、鋼製型枠２取付前にアングルピース３を外部側を取り付ける。アングルピース３は垂直部分４と水平部分５が９０度でＬ字状に交わり形成されたものである。
【０００７】
次に強度を増す鉄骨ブレースを取り付ける。
【０００８】
次にアングルピース３を内側に取りつけ、鋼製型枠２と、アングルピース３を点溶接６しモルタルシールを施す。この内にグラウドを流し込み、耐震用の壁を形成する。尚、アングルピース３の水平部分には孔７が開いており、そこでボルトナット８により躯体１に強く固定する。尚、数字９は従来技術のアンカーを示す。
【産業上の利用可能性】
【０００９】
従来例の多数のアンカー打設より強度が強く、又、手間がかからないので広く建設業界で用いられると思う。正に画期的なものである。
【図面の簡単な説明】
【００１０】
【図１】アングルピースの正面図である。
【図２】アングルピースの平面図である。
【図３】従来例のアンカー打設の正面図である。
【図４】本考案の正面図である。
【符号の説明】
【００１１】
１  躯体
２  鋼製型枠
３  アングルピース
４  垂直部分
５  水平部分
６  点溶接部分
７  孔
８  ボルトナット
９  アンカー
【図１】
0003117543.tif 000003
【図２】
0003117543.tif 000004
【図３】
0003117543.tif 000005
【図４】
0003117543.tif 000006
(57)【要約】      （修正有）【課題】トタン板又は波板を留める場合、釘を使用しないでフックボルトを簡単に、且つ、均等に締め付ける道具を提供する。【解決手段】本体は円錐状で、下部には六角形の溝が彫られ中心部に逃げ穴がある一方、本体上部には長さ調整用のネジ穴が切ってあり、更にその上部にはロックナットが設置され、円形のネジが入っている構造で出来た、フックボルト締め付け具。【選択図】図２
0003117594.tif 000002
【実用新案登録請求の範囲】
【請求項１】
本体は円錐状で、下部には六角形の溝が彫られ中心部に逃げ穴がある。一方、本体上部には長さ調整用のネジ穴が切ってあり、更にその上部にはロックナットが設置され、円形のネジが入っている構造で出来た、フックボルト締め付け具。
【考案の詳細な説明】
【技術の分野】
【０００１】  トタン板や波板のフックボルトを均等に取り付ける製品である。
【背景技術】
【０００２】  現在、波板を張る場合、スパナ等の様々な工具を使用しているが、作業効率が悪い上、仕上がりが不均一なのが現状である。この技術を使用することで作業効率も上がり、均一な仕上がりが期待できる。
【考案の開示】
【考案が解決しようとする課題】
【０００３】  現在、波板を張る場合、スパナ等の様々な工具を使用しているが、その締め付けるフックボルトの締め付け具合は目視と作業感覚に頼っており、一度全体を取り付けてから再び調整締めを行うなど、作業効率が悪い上、均一な仕上がりを期待することができない。
フックボルトの締め付け具合が、トタン板・波板に合わせ、全て均一となるように考案したものである。
【課題を解決するための手段】
【０００４】  本「フックボルト締め付け具」の機能である、「スライド調整ボルト」を使用することで、課題を解決することができる。
【考案の効果】
【０００５】  本「フックボルト締め付け具」を使用することで、フックボルトの締め付け具合が、トタン板・波板に併せ、全て均一にすることができるようになった。
また、フックボルトを取り付ける際、形状が円錐状になっているため大変使い易く、「スライド調整ボルト」を調整することでＣ鋼チャネルの大きさに合わせることが容易であり、その効果は抜群である。
【考案を実施するための最良の形態】
【０００６】  フックボルトを締め付けるには本体が円錐状になっているため、スマートである。
【実施例】
【０００７】  トタン板又は波板を取り付ける際、調整ネジで長さを決め、中心部にあるロックネジで固定することにより波板そのものを均等に張る事が出来る。また、フックボルトを緩める際には円錐状の底辺部分（大きい部分）を利用して回すことにより、簡単にネジを外すことができる。
【図面の簡単な説明】
【０００８】
【図１】正面から見た断面図である。
【図２】組み込まれた図面である。
【符号の説明】
【０００９】１．調整ボルト
２．ロックナット
３．ネジ逃げ穴部
４．本体
５．六角穴部
【図１】
0003117594.tif 000003
【図２】
0003117594.tif 000004
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
本体は円錐状で、下部には六角形の溝が彫られ中心部に逃げ穴がある一方、本体上部には長さ調整用のネジ穴が切ってあり、更にその上部にはロックナットが設置され、円形のネジが入っている構造で出来た、フックボルト締め付け具。
(57)【要約】      （修正有）【課題】軽量化を計り容易に移動でき、安全に使用でき、かつ低価格な車椅子用体重計を提供する。【解決手段】部材をアルミニウムで作ることにより軽量化し、家庭用計量器（ヘルスメーター）を使用することで、小型化し収納性を良くし、かつ低価格である。家庭用計量器２に固定して使用する車椅子用体重計は、１ａと１ｂを連結する部材４ａと４ｂで構成されており家庭用計量器は４ａと４ｂに固定されている。なお、部材はアルミニウムを使用している。１ａ、１ｂに車椅子の車輪を乗せ５の測定値読み取り窓から重量を読み取る。３の部分が体重測定中に車椅子の車輪が脱落しない角度に曲げてあり車椅子の車輪脱落防止部分となっている。【選択図】図１
0003117595.tif 000002
【実用新案登録請求の範囲】
【請求項１】
家庭用計量器に固定して使用する車椅子用体重計であって該体重計は車椅子に乗ったまま体重が測れることを特徴とする車椅子用体重計。
【請求項２】
請求項１において、車椅子の転倒防止部材が設置されてることを特徴とする車椅子用体重計。
【請求項３】
請求項１において、車椅子の車輪脱落防止部分を有することを特徴とする車椅子用体重計。
【考案の詳細な説明】
【技術分野】
【０００１】  本考案は家庭用計量器（ヘルスメーター）に固定して使用する車椅子用体重計に関する。
【背景技術】
【０００２】  従来の車椅子用体重計は図−４に示す様に大型で設置する必要がある。
【考案の開示】
【考案が解決しようとする課題】
【０００３】  しかしながら、以上の技術によれば、大型で設置する必要があるため収納性が悪くまた高額なため個人が入手することは困難であった。
そこで、この考案は軽量化を計り容易に移動でき、安全に使用でき、かつ低価格な車椅子用体重計を提供することを課題とする。
【課題を解決するための手段】
【０００４】  以上の課題を解決するために、第一考案は部材をアルミニウムで作り、かつ家庭用計量器を使用することを特徴とする車椅子用体重計である。
また、第二考案は車椅子の転倒防止部材が設置されていることを特徴とする車椅子用体重計である。
また、第三考案は車椅子の車輪脱落防止部分を有することを特徴とする車椅子用体重計である。
【考案の効果】
【０００５】  第一考案、第二考案、第三考案によれば、軽量なので移動や収納性が良く低価格で車椅子の転倒防止部材や車輪脱落防止部分が有るので安全に車椅子ごと体重が測れる。
【考案を実施するための最良の形態】
【０００６】  以下、本考案の実施の形態を図に基づいて説明する。
【実施例１】
【０００７】  図−１は本考案の家庭用計量器に固定して使用する車椅子用体重計の斜視図である。
図−２は本考案の家庭用計量器に固定して使用する車椅子用体重計の裏面図である。
図−３は本考案の家庭用計量器に固定して使用する車椅子用体重計の正面図である。
図−４は従来技術の設置型車椅子用体重計である。
【実施例２】
【０００８】  家庭用計量器に固定して使用する車椅子用体重計は、図−１の１ａと１ｂを連結する部材４ａと４ｂで構成されており家庭用計量器は４ａと４ｂに固定されている。
なお、部材はアルミニウムを使用しているので軽量である。
【実施例３】
【０００９】  図−１の１ａ、１ｂに車椅子の車輪を乗せ５の測定値読み取り窓から重量を読み取る。
【実施例４】
【００１０】  図−１の３の部分が体重測定中に車椅子の車輪が脱落しない角度に曲げてあり車椅子の車輪脱落防止部分となっている。
【実施例５】
【００１１】  図−２と図−３の６ａ、６ｂ、６ｃ、６ｄが体重測定中に車椅子が傾き転倒しないように設置してある転倒防止部材である。
【図面の簡単な説明】
【００１２】
【図１】  この考案の一実施形態を示す斜視図である。
【図２】  この考案の裏面図
【図３】  この考案の正面図
【図４】  従来技術を示す斜視図
【符号の説明】
【００１３】１ａ  レール
１ｂ  レール
２    家庭用計量器
３    車椅子車輪脱落防止部分
４ａ  レール連結部材
４ｂ  レール連結部材
５    測定値読み取り窓
６ａ  車椅子転倒防止部材
６ｂ  車椅子転倒防止部材
６ｃ  車椅子転倒防止部材
６ｄ  車椅子転倒防止部材
【図１】
0003117595.tif 000003
【図２】
0003117595.tif 000004
【図３】
0003117595.tif 000005
【図４】
0003117595.tif 000006
【手続補正書】
【提出日】平成17年9月29日(2005.9.29)
【手続補正１】
【補正対象書類名】実用新案登録請求の範囲
【補正対象項目名】請求項１
【補正方法】変更
【補正の内容】
【請求項１】
家庭用計量器に固定して使用する車椅子用体重計であって家庭用計量器２に重量を伝達するレール連結部材４ａ、４ｂが固定されておりさらに、レール連結部材４ａ、４ｂに固定されているレール１ａ、１ｂに車椅子が乗る事により重量を測定し、車椅子に乗ったまま体重が測れることを特徴とする車椅子用体重計。
(57)【要約】      （修正有）【課題】幼児等の髪を洗う際に使用する補助台に関する幼児の髪を洗う際に、保護者の両手が自由自在に使うことのできることを可能とすることにある。【解決手段】長方形で四方の角を丸くし、上部２を高くし下部３へ行くにしたがって徐々に低いなだらかな斜面の形状にし、上部中央部に、一般的な風呂桶等の大きさの窪５を設け平面部の両側面を高くし、平面中央部の上部から下部まで川状の窪４を作り底面を空洞とし、底面の断面を平滑としてなるよう構成してあることを特徴としている。【選択図】図３
0003117600.tif 000002
【実用新案登録請求の範囲】
【請求項１】
長方形で四方の角を丸くし、上部を高くし下方に行くにしたがって徐々に低いなだらかな斜面の形状とし、上部中央部に一般的な風呂桶等の大きさの窪を設け、平面部の両側面を高くし、平面中央の上部から下部まで川状の窪を作り、裏面を空洞とし、底面の断面を平滑とした形状に構成され幼児の髪洗いを行う際に幼児をその上に保持して髪洗いを容易にすることを可能とする幼児髪洗補助台。
【請求項２】
上記形状の素材としてポリエステル、ポリエチレン、強化プラスチックなどの合成樹脂等を用いてなる請求項１記載の幼児髪洗補助台。
【考案の詳細な説明】
【技術分野】
【０００１】  本考案は、幼児等の髪を洗う際に使用する補助台に関するものである。
【背景技術】
【０００２】  浴室等の洗い場で、幼児の髪を洗う際に、適当な補助台もないので、保護者が幼児を腕に支えて洗っていた。
【考案の開示】
【考案が解決しようとする課題】
【０００３】  近代、家族構成も核家族化し、以前は保護者の保護者又は、その家族が色々な場面で手を貸してくれていたが現在では、そのような事が少なくなり、保護者が幼児を腕に支えて髪を洗う際、不慣れな場合においては安全性に問題があり、従って補助台を使用する事により前述の欠点を解決しようと、するものである。
【課題を解決するための手段】
【０００４】  本考案の幼児髪洗補助台の構成は素材を合成樹脂を使用して製作する事により耐久性にすぐれ、水又は湯沸による形状変化がなく、形状を長方形のドーム型にすることにより、幼児等の重量にも形状変化を起こさないことを特徴としている。
【考案の効果】
【０００５】  補助台の平面部に窪を設けることにより幼児の横揺れを防止し、補助台を使用することにより保護者の両手が自由自在に使う事が可能になることで、幼児の髪洗いの作業を安全かつ安定することに役立つ。
【考案を実施するための最良の形態】
【０００６】  補助台の形態は、長方形で角を丸くし上部を高くし下方へ行くにしたがって、徐々に低い形状にし、なだらか斜面の形状とし、平面部の両側面を高くし平面中央部が窪とすることで幼児の横揺れを防ぐ、上部中央部に一般的な風呂桶の大きさの円形状の窪を設けることにより、幼児の頭部を、その円形状の部分へ、つき出るようにし、幼児の頭の下へ風呂桶等を施置し、その風呂桶等の水又は湯沸で幼児の髪を洗う為の形状としてある。底面の断面は浴室等の洗い場の床面に安定するよう平滑とし、又底面を空洞としたことで、より軽量化し持ち運びを容易にしたものである。
【実施例】
【０００７】  以下添付図面に従って一実例を説明する。耐久性に優れた合成樹脂適宜素材にて一体化形成された補助台図１、幼児を、上部中央窪図５へ幼児の頭部がつき出るよう補助台平面部窪図４へ幼児を仰向きに寝かせ位置させる、風呂桶等を幼児の頭部の下補助台上部中央窪図５へ置き、幼児の髪を洗う作業を保護者が両手で行う。この補助台図１は図６で示すように底面は空洞としてある。したがって軽量に形成されているので取り扱いは容易である。【０００８】  幼児の髪を洗う際には、シャンプー等など使用するので幼児の目にシャンプー等が入らぬよう幼児の目の上にタオル等を乗せて置くとより効果的である。
【図面の簡単な説明】
【０００９】
【図１】本考案の幼児髪洗い補助台の実施例を示す平面図である
【図２】同じく正面図である。
【図３】同じく風呂桶等を設置した状態を示す斜視側面図である。
【図４】同じく底面図である。
【図５】同じく図１のＸ−Ｘの部分の斜視断面図である。
【図６】同じく背面斜視図である。
【符号の説明】
【００１０】１  補助台
２  補助台上部
３  補助台下部
４  補助台中央平面部窪
５  補助台中央上部窪
６  補助台底面部空洞
７  風呂桶
【図１】
0003117600.tif 000003
【図２】
0003117600.tif 000004
【図３】
0003117600.tif 000005
【図４】
0003117600.tif 000006
【図５】
0003117600.tif 000007
【図６】
0003117600.tif 000008
(57)【要約】      （修正有）【課題】ネクタイを装着する際に、ネクタイを結ぶ手間を省くことのできるネクタイの結び目状係止具を提供することである。【解決手段】図示するネクタイの結び目状係止具１は、ネクタイの結び目を模した逆三角形をなす頂点を切断した円錐形状であり、上部及び下部に開口部２及び開口部３を有する。また、外面４には装飾性の模様を施す。装飾性の模様としては、たとえば、幾何学模様などである。さらに、内面５には、適宜間隔に複数個設置された滑り止め用突起６を設置する。【選択図】図１
0003117589.tif 000002
【実用新案登録請求の範囲】
【請求項１】
ネクタイの結び目を模した逆三角形をなす頂点を切断した円錐形状の結び目状係止具であって、
上記結び目状係止具は外面に装飾性を有し、
結び目状係止具の上部及び下部が開口し、
上記開口部よりネクタイを挿通し首に掛けた際に、結び目状係止具によってネクタイを係止することができるようにしたことを特徴とするネクタイの結び目状係止具。
【請求項２】
上記結び目状係止具の内面に、滑り止め用の突起を適宜間隔に複数個設置したことを特徴とする請求項１に記載のネクタイの結び目状係止具。
【考案の詳細な説明】
【技術分野】
【０００１】
本考案は、ネクタイの結び目の形状を模し、装飾性を有するネクタイの結び目状係止具に関する。
【背景技術】
【０００２】
元来、ネクタイを装着する際には、ネクタイの中央部を首にかけ、大剣と小剣を結んで、首元で逆三角形の結び目を形成する方法が一般的である。近年では、ネクタイの装着法を安易にする、あるいは形成された結び目の形状をより美しくするといった目的で、ネクタイ装着補助具（実開平５−１４１１３号公報、特許文献１参照）やネクタイクリップ（実開平６−８３７２６号公報、特許文献２参照）等が考案されている。
【特許文献１】実開平５−１４１１３号公報
【特許文献２】実開平６−８３７２６号公報
【考案の開示】
【考案が解決しようとする課題】
【０００３】
しかし、これまでのネクタイの装着法及び形状に関する考案は、あくまでも補助具としてのものであり、ネクタイを結ぶ手間は依然として残っている。
【０００４】
そこで、ネクタイを装着する際に、ネクタイを結ぶ手間を省くことのできるネクタイの結び目状係止具を提供することである。
【課題を解決するための手段】
【０００５】
上述した課題を解決するために、本考案に係るネクタイの結び目状係止具は、ネクタイの結び目を模した逆三角形をなす頂点を切断した円錐形状の結び目状係止具であって、上記結び目状係止具は装飾性を有し、結び目状係止具の上部及び下部が開口し、上記開口部よりネクタイを挿通し首に掛けた際に、結び目状係止具によってネクタイを係止することができるようにしたことを特徴としている（請求項１）。
【０００６】
また、上記結び目状係止具の内面に、滑り止め用の突起を適宜間隔に複数個設置したことを特徴としている（請求項２）。
【考案の効果】
【０００７】
本考案に係るネクタイの結び目状係止具によれば、ネクタイを結ぶ手間が省けるとともに、装飾性を有しているので、種々のネクタイとの組み合わせることで、より個性的なネクタイの着こなしが可能となる。
【考案を実施するための最良の形態】
【０００８】
図１（a），（b）は、本考案に係るネクタイの結び目状係止具の斜視図である。図示するネクタイの結び目状係止具１は、ネクタイの結び目を模した逆三角形をなす頂点を切断した円錐形状であり、上部及び下部に開口部２及び開口部３を有する。また、外面４には装飾性の模様を施す。装飾性の模様としては、たとえば、幾何学模様などである。さらに、内面５には、適宜間隔に複数個設置された滑り止め用突起６を設置する。
【０００９】
図２（a），（b），（c），（d）は、図１に示したネクタイの結び目状係止具の正面図、側面図、背面図及び上面図である。図示するネクタイの結び目状係止具１は、逆三角形をなす頂点を切断した円錐形状であり、上部に開口部２、下部に開口部３を有する。また、外面４には装飾性の模様を施す。さらに、内面５には、適宜間隔に複数個設置された滑り止め用突起６を設置する。
【００１０】
図３（a），（b）は、本考案に係るネクタイの結び目状係止具の展開図である。図示されたネクタイの結び目状係止具１は、シート状をなし、外面４が表側になるように端辺７と端辺８を接合させることで、図１に示した結び目状係止具１の形状となる。ここで、シートの材質は、可撓性のある素材、例えば膜状金属、プラスチックシート、あるいはそれらの複合シートなどが好ましい。
また、係止具１は首元で使用されるものであるため、前記係止具１の材質は、首になじむ程度の弾力性を有するものとする。
さらに、シートから係止具を形成する方法以外にも、プラスチック金型などを用いた種々の成形方法でも実施可能である。その際、同時に上記滑り止め用突起６を形成すれば良い。
【００１１】
図４（a），（b），（c）は、本考案に係るネクタイの結び目状係止具の実施例を示す図である。本考案に係るネクタイの結び目状係止具１を用いてネクタイを装着する際には、まず、ネクタイ９の中央部を二つ折りにし、結び目係止具１下部の開口部３から挿通させ、開口部２より適当な長さまで引き出す（図４（a）参照）。その後、適当な長さに引き出したネクタイ９の中央部から頭を通し（図４（b）参照）、首周りにおいて、ネクタイ９またはネクタイの結び目状係止具１を、aまたはb方向にスライドさせ適当な長さで係止する（図４（c）参照）。このように、本考案に係るネクタイの結び目状係止具１を用いることで、従来のネクタイ装着法の必須作業であったネクタイを結ぶ行為が省略可能となる。
また、本考案に係るネクタイの結び目状係止具１は外面に装飾性を有する模様を施してあり、ネクタイの柄との組み合わせで、よりおしゃれな着こなしも可能となる。
【産業上の利用可能性】
【００１２】
本考案は、一般的なネクタイを結ぶというこれまでのネクタイ装着時必須作業を省略することが可能であるが、結び目状係止具の形状を変えることで、紐状ネクタイや、蝶ネクタイなどにも使用することができる。
【図面の簡単な説明】
【００１３】
【図１】（a），（b）は、本考案に係るネクタイの結び目状係止具の斜視図である。
【図２】（a），（b），（c），（d）は、図１に示したネクタイの結び目状係止具の正面図、側面図、背面図及び上面図である。
【図３】（a），（b）は、本考案に係るネクタイの結び目状係止具の展開図である。
【図４】（a），（b），（c）は、本考案に係るネクタイの結び目状係止具の実施例を示す図である。
【符号の説明】
【００１４】
１  ネクタイの結び目状係止具
２  開口部
３  開口部
４  外面
５  内面
６  滑り止め用突起
７  端辺
８  端辺
９  ネクタイ
【図１】
0003117589.tif 000003
【図２】
0003117589.tif 000004
【図３】
0003117589.tif 000005
【図４】
0003117589.tif 000006
(57)【要約】      （修正有）【課題】お湯の中温度、中吐出量の位置にすばやく確実に操作レバーの移動が出来、なおかつ吐出停止位置は必ず低温吐水側に、操作レバーが来る事により不意にレバーを上げて熱湯による事故等を防ぐ。【解決手段】シングルレバー混合水栓の可動レバー下部の、水栓本体の非可動部分前面に固定した、ステンレス鋼線が、垂直位置から上方を弧とする三次元カーブしながらお湯側に向いており、お湯側へのレバー移動の際のガイドとなり、レバーの動きを規制することにより、容易に惑わずに中温度吐出、高温度吐出の位置にレバー移動が、可能になるシングルレバー混合水栓用湯温制御ガイドである。又、吐出停止の場合は、必ず低温位置にレバーが来るように規制する特徴を、合わせ持つシングルレバー混合水栓用湯温制御ガイドである。【選択図】図３
0003117582.tif 000002
【実用新案登録請求の範囲】
【請求項１】
シングルレバー混合水栓の可動レバー下部の、水栓本体の非可動部分前面に固定した、ステンレス鋼線が、垂直位置から上方を弧とする三次元カーブしながらお湯側に向いており、お湯側へのレバー移動の際のガイドとなり、レバーの動きを規制することにより、容易に惑わずに中温度吐出、高温度吐出の位置にレバー移動が、可能になるシングルレバー混合水栓用湯温制御ガイドである。
又、吐出停止の場合は、必ず低温位置にレバーが来るように規制する特徴を、合わせ持つシングルレバー混合水栓用湯温制御ガイドである。
【考案の詳細な説明】
【考案の詳細な説明】
【技術分野】
【０００１】本考案は、シングルレバー混合水栓用湯温制御ガイドに関する物である。
【背景技術】
【０００２】本来、シングルレバー混合水栓の操作レバーの動きは、自由回転できるように開発された物であるから、レバーの動きを規制する技術はない。
【考案が解決しようとする課題】
【０００３】シングルレバー混合水栓は、手早く水、お湯の切り替えと吐出量の調整が可能なためキッチンや、洗面化粧台の水栓として広く普及していますが、お湯の中温度、中吐出量の位置にレバーを移動させるには、経験と感に頼るしかなく何回となく操作レバーを微調整する必要があります。
又、高温度、中温度、低温度とどの位置でもレバーを下げれば止水しますが、高温度で吐出した後に、そのまま操作レバーを下げ止水し、すぐに手を洗おうとしてそのまま上にレバーを上げ高温度吐出したお湯で、火傷する事故が多くあるようです。
本考案のシングルレバー混合水栓用湯温制御ガイドは、お湯の中温度、中吐出量の位置にすばやく確実に操作レバーの移動が出来、なおかつ吐出停止位置は必ず低温吐水側に、操作レバーが来る事により不意にレバーを上げて熱湯による事故等を防ぐ事を、目的としています。
【課題を解決するための手段】
【０００４】上記課題を解決する為に、本考案は、シングルレバー混合水栓の可動レバー下部の、水栓本体の非可動部分前面にバンド、吸盤、両面テープ等を備えたステンレス鋼線固定器具より、ステンレス鋼線が操作レバー左のお湯側に垂直位置の低温部から上方を弧とする三次元カーブしながら高温部に向いており、お湯側へのレバー移動の際のガイドとなり、レバーの動きを規制する。又、中温度中吐出量の位置には、目印となるゴム玉をステンレス鋼線ガイドに通し固定することにより、容易に惑わずに火傷しない中温度吐出の位置に操作レバーを移動出来、高温度吐出の位置との区別が、容易に判断が可能になるシングルレバー混合水栓用湯温制御ガイドである。
さらに、吐出停止の場合は、ステンレス鋼線ガイドにより必ず低温位置にレバーが来るように規制する特徴を、合わせ持つシングルレバー混合水栓用湯温制御ガイドである。
【考案を実施するための最良の形態】
【０００５】本考案の実施を説明する。
図３に示すように、操作レバー吐出停止が正面になる状態で、ステンレス鋼線ガイドを付けた、シングルレバー混合水栓用湯温制御ガイド  図１をシングルレバー混合水栓の可動レバー１０１下部の、水栓本体の非可動部分１０２前面、及び操作レバー取手１０３の左側にステンレス鋼線００１の垂直部分が、接触するようにシングルレバー混合水栓用湯温制御ガイド図１を固定する。この位置が、低温度の吐出停止位置  図３になる。
上方を弧とする三次元カーブのステンレスガイドに通したゴム玉００３は、カーブの途中が中温度中吐出量  図４の位置になるが、この位置はボイラー温度設定や個人差により体感温度が微妙に違う為、微調整することが必要になる。操作レバーの移動は、ステンレス鋼線に沿うようにする事により、ゴム玉００３は、安全温度域のストッパーとなる。
さらに高温度吐出  図５にするには、ゴム玉を越しさらに左位置に操作レバー取手を移動させる事により高温度のお湯が得られる事が可能となる．高温度吐出後の吐出停止は、操作レバー取手の下にステンレス鋼線ガイドがあるため真下の高温度位置での停止は出来なくなるので、吐出停止はガイドに必ず沿うかたちに操作レバーを移動し、低温度吐出停止図３の状態で吐出停止になる。
【考案の効果】
【０００６】上記説明で分かるように、本考案のシングルレバー混合水栓用湯温制御ガイドにおいては、シングルレバー混合水栓のお湯側の操作レバー移動の際のガイドとなり、レバーの動きを規制することにより、容易に惑わずに中温度吐出、高温度吐出の位置にレバー移動が、可能になり、なおかつ吐出停止位置は必ず低温度吐水側に、操作レバーが来る事により不意にレバーを上げて熱湯による事故等を防ぐことも可能になる。
【図面の簡単な説明】
【図１】本考案のシングルレバー混合水栓用湯温制御ガイドの前面斜視図である。
【図２】シングルレバー混合水栓用湯温制御ガイドの平面図である。
【図３】シングルレバー混合水栓用湯温制御ガイドの取付けと吐出停止位置を表した正面図である。
【図４】シングルレバー混合水栓用湯温制御ガイドと操作レバー中温度位置を表した正面図である。
【図５】シングルレバー混合水栓用湯温制御ガイドと操作レバー高温度位置を表した正面図である。
【符号の説明】
００１ステンレス鋼線ガイド
００２水栓固定バンド
００３ゴム玉ストッパー
１０１シングルレバー混合水栓の可動部分
１０２シングルレバー混合水栓本体
１０３シングルレバー混合水栓の操作レバー部分
２０１高温度吐出量大の位置
２０２中温度吐出量中の位置
２０３低温度吐出停止の位置
【図１】
0003117582.tif 000003
【図２】
0003117582.tif 000004
【図３】
0003117582.tif 000005
【図４】
0003117582.tif 000006
【図５】
0003117582.tif 000007
【手続補正書】
【提出日】平成17年9月22日(2005.9.22)
【手続補正１】
【補正対象書類名】実用新案登録請求の範囲
【補正対象項目名】全文
【補正方法】変更
【補正の内容】
【実用新案登録請求の範囲】
【請求項１】
シングルレバー混合水栓の可動レバー下部の、水栓本体の非可動部分前面に固定した、ステンレス鋼線が、垂直位置から上方を弧とする三次元カーブしながらお湯側に向いており、お湯側へのレバー移動の際のガイドとなり、レバーの動きを規制することにより、容易に惑わずに中温度吐出、高温度吐出の位置にレバー移動が可能になり、吐出停止時に置いては、必ず低温度位置にレバーが来るように規制する、シングルレバー混合水栓用湯温制御ガイドである。
(57)【要約】［課題］      トイレットペーパーのみしん目を見やすくする［解決手段］  トイレットペーパーのみしん目にそって異なる色彩を印刷した【選択図】図１
0003117586.tif 000002
【実用新案登録請求の範囲】
【請求項１】
ミシン目にペーパーと異なる色彩もしくは文字列１を印刷することによりミシン目を見やすくしたトイレットペーパー
【請求項２】
ミシン目を境にして異なる色彩２．３に印刷されたトイレットペーパー
【考案の詳細な説明】
【考案の詳細な説明】
【０００１】［考案が解決しようとする課題］
従来のトイレットペーパーはミシン目で切り取って使用するがロール状に巻いてあるペーパーためミシン目が見難いという問題点を有していた
【０００２】［課題を解決するための手段］
上記問題を解決するためロール状に巻いてあるトイレットペーパのミシン目にペーパーと異なる色彩のラインを印刷した
【０００３】［考案の効果］
ミシン目に印刷された色彩の異なるラインが目標となりミシン目で切り取りをしやすくなった
【図面の簡単な説明】［図１］
トイレットペーパーのミシン目にラインを印刷した斜視図である
［図２］
トイレットペーパーのミシン目を境に異なる色彩を印刷した斜視図である
【符号の説明】
１      ミシン目に異なる色彩で印刷したライン
２、３  ミシン目を境に異なる色彩
【図１】
0003117586.tif 000003
【図２】
0003117586.tif 000004
(57)【要約】      （修正有）【課題】通常の筆記器具としてのボールペンとしての機能に加え、ボールペンのペン先の反対側のタッチパネル用のペン先を利用してペン入力携帯情報機器用の専用ペン。【解決手段】本考案は、市販のボールペンのペン先の反対側の専用ペンを利用してタッチパネル専用ペンとして利用できます。携帯情報機器に収納式のペンの操作性の課題点は解消されます。更に情報機器は、ペン収納部が必要ない為、スッキリと携帯性の面で優れています。更にボールペンと専用ペンの一体化による利便性に優れており、安価です。【選択図】図４
0003117583.tif 000002
【実用新案登録請求の範囲】
【請求項１】
ボールペンのペン先の反対側の終端に、タッチパネルを傷つけない材質を採用したペン先を装着したボールペンで、筆記器具としての利用に加え、ペン入力携帯情報機器への入力にも利用できる事を特長とする、情報機器本体へのペンの収納を必要としない、操作性・利便性を重視したボールペン。
【請求項２】
タッチパネル専用ペン先への汚れ・油等の付着を防止する為のキャップ５は、情報機器への入力中には、ボールペンのキャップ２の先端部に装着でき、紛失を防止できるボールペン。
【考案の詳細な説明】
【技術分野】
【０００１】現在、携帯情報端末・電子辞書・携帯電話機には、ペン入力により効率的な文字入力を行う為、タッチパネルを採用した商品が開発されています。
【背景技術】
【０００２】現在、携帯情報端末・電子辞書・携帯電話機には、ペン入力により効率的な文字入力を行う為、タッチパネルを液晶パネル前面に配置した商品が開発されています。これらの商品ではタッチパネルを専用のペンにてタッチする事により、表示されている文字をペンタッチする事によりスピーディに効率的に文字入力等が行えます。
【考案の開示】
【考案が解決しようとする課題】
【０００３】現在、携帯情報端末・電子辞書・携帯電話機には、ペン入力により効率的な文字入力を行う為、液晶パネル前面にタッチパネルを貼り付けた商品が開発されています。これらの情報機器で使用されているペンは、先端又は全体がタッチパネルを傷つけないように配慮した軟質素材等が使用されています。
一般のボールペン等をそのまま使用した場合はタッチパネルを傷つける可能性があります。専用ペンは、ペンの紛失防止のためにも、携帯情報機器本体に収納できるペンが主流を占めています。しかし、本体の携帯性の追求の為、専用ペンは細く・短く・使いずらいものが主流を占めています。また、本体に収納できるタイプが多い為、本体の外形寸法が大きくなる・ペン紛失の可能性等の課題点があります。操作性の改善の為、ペンを持ちやすく・長くすると、携帯性が損なわれる上、本体側のコストアップにつながります。
【課題を解決する為の手段】
【０００４】現在、専用ペンは何れも本体への収納と携帯性追求の為、細く・短いものが主流を占めています。その為、操作性・使い勝手はあまり良いとは言えません。ペンの長さや太さを持ちやすくすると、携帯性が損なわれてしまいます。本考案は、今までにない発想に基づき、ビジネスマン・学生等が外出時に常に携帯している市販のボールペンに着目し、ボールペンのペン先の反対側の終端部に、タッチパネルを傷つけないプラスチック材質を使用したペン先３を装着するものです。
本考案は、金型費・開発費の削減・製品価格を抑える為、市販のボールペンとほとんど同じ構造・機構・部品を採用しています。但し違いは、プラスチック製のタッチパネル専用のペン先３と専用キャップ５とボールペンのキャップ２の３点にあります。
【考案の効果】
【０００５】本考案は、市販のボールペンのペン先の反対側の終端部にタッチパネル用のプラスチックのペン先３を固定するものです。更にボールペンの芯７の交換の為、ペン先部分は脱着可能な構造を採用しています。
この事により、ビジネスマン・学生他が外出時に常に携帯しているボールペンをタッチパネル専用のペンに早代わりさせるものです。
本考案は、市販の長く・ある程度の太さを有する・持ちやすいボールペンであることから、携帯情報機器本体に収納可能な細く・短いペンに比べ、優れた操作性・使い勝手・利便性を実現します。  情報機器を使用していない時は、ボールペンとしても利用できます。
ボールペンは携帯時には、背広・ワイシャツの胸のポケット・バッグ等にて携帯できます。タッチパネル専用ペン先・キャップ以外は、市販のボールペンそのものを使用する事により開発費も掛からず、コスト的にも安価な点を特長としています。
携帯時にタッチパネル用のペン先が汚れ・油等が付着するのを防ぐ為、専用のキャップが装着できます。タッチパネル専用ペン先への汚れ・油等の付着を防止する為のキャップ５は、情報機器への入力中には、ボールペンのキャップ２の先端部に装着でき、紛失を防止できます。
【実施例】
【０００６】図４に携帯電話機の場合のタッチパネル用ペン先とボールペンのペン先を装着したボールペンの具体的な実施例について説明します。
【図面の簡単な説明】
【０００７】
【図１】ボールペンの側面図にて本考案の説明を行います。
【図２】ボールペンの側面図にて本考案の説明を行います。
【図３】ボールペンの断面図にて本考案の説明を行います。
【図４】ボールペンと携帯電話機との使用例の図にて本考案の説明を行います。
【符号の説明】
【０００９】１  タッチパネル用ペン先を装着したボールペン本体
２  ボールペンのキャップ
３  タッチパネル専用ペン先
４  ゴム素材製のグリップ
５  タッチパネル専用ペン先への汚れ・油等の付着を防止する為のキャップ
６  ボールペンのペン先
７  ボールペンの芯
８  ペン入力対応・携帯情報機器
【図１】
0003117583.tif 000003
【図２】
0003117583.tif 000004
【図３】
0003117583.tif 000005
【図４】
0003117583.tif 000006
【手続補正書】
【提出日】平成17年9月16日(2005.9.16)
【手続補正１】
【補正対象書類名】実用新案登録請求の範囲
【補正対象項目名】全文
【補正方法】変更
【補正の内容】
【実用新案登録請求の範囲】
【請求項１】
ボールペンのペン先の反対側の終端に、タッチパネルを傷つけない材質を採用したペン先を装着したボールペンで、筆記器具としての利用に加え、ペン入力携帯情報機器への入力にも利用できる事を特長とする、情報機器本体へのペンの収納を必要としない、操作性・利便性を重視したボールペン。
【請求項２】
タッチパネル専用ペン先への汚れ・油等の付着を防止する為のキャップ５が情報機器への入力中にはボールペンのキャップ２の先端部に装着でき紛失を防止できる事を特徴とする請求項１記載のボールペン。
【手続補正２】
【補正対象書類名】図面
【補正対象項目名】図３
【補正方法】変更
【補正の内容】
【図３】
0003117583.tif 000007
(57)【要約】【課題】  ゴルフスウィングフラッグの旗部分にボタンホールを設け、旗を通すフラッグポール側にもボタンホールと同じ位置に穴を開け、ゴルフクラブ本体に固定機能付きナイロンバンドを通し、巻きつけるように取り付ける事で、より簡単に脱着する事が出来、フラッグポールから旗がずれる事を防ぐ。【解決手段】  本考案は、ゴルフクラブ本体１とフラッグポール本体３を固定する、従来までのネジ及びナットを固定機能付きナイロンバンド２に変更し、その固定機能付きナイロンバンド２を通す通し穴７を２箇所開けたフラッグポール本体３に、同じように固定機能付きナイロンバンド２を通す為のボタンホール６を設けた旗５を通し、上下２箇所の固定機能付きナイロンバンド２でゴルフクラブ本体１とフラッグポール本体３、旗５の３点を一度に固定する事で、問題点を解決している。【選択図】  図１
0003117632.tif 000002
【実用新案登録請求の範囲】
【請求項１】
ゴルフスウィングフラッグの旗部分にボタンホールを設け、旗を通すフラッグポール側にもボタンホールと同じ位置に同形状の穴を開け、固定用ナイロンバンドを通し、ゴルフクラブ本体に巻きつけるように取り付ける事で、フラッグポールから旗がずれる事無く、ゴルフクラブ本体より簡単に脱着する事を可能としたゴルフスウィングフラッグ。
【考案の詳細な説明】
【技術分野】
【０００１】  本考案は、ゴルフクラブに取り付けるゴルフスウィングフラッグを、より簡単に脱着する事を目的とした装置に関するものである。
【背景技術】
【０００２】  これまでのゴルフスウィングフラッグの取り付けには細かいネジが使われており、脱着に際し、わずらわしさを感じる上に、紛失の危険性があった。また、旗自体がずれるなどの不都合があった。
【考案の開示】
【考案が解決しようとする課題】
【０００３】  従来の取り付け方法の場合、細かいナットとネジが使われており、屋外で使用する頻度の高いゴルフスウィングフラッグの性格上、脱着時に落下、紛失の危険性があったが、本考案を使用する事で紛失の危険性を低減させるとともに旗のずれも解消し部品点数も少なくすることで、構造の簡素化、コストの低下を図り、前述の欠点を解消しようとするものである。
【課題を解決するための手段】
【０００４】  本考案は、ゴルフクラブとフラッグポールを固定する、従来までのネジ及びナットを、固定機能の付いたナイロンバンドに変更し、そのナイロンバンドを通す穴を２箇所開けたフラッグポールに、同じようにナイロンバンドを通す為のボタンホールを設けた旗を通し、上下２箇所のナイロンバンドでゴルフクラブとフラッグポール、旗の３点を一度に固定することで、問題点を解決している。
【考案の効果】
【０００５】  上述の様に、従来のネジとナットによる固定方法に代わり、固定機能付きナイロンバンドを用い、旗とフラッグポールを共締めすることで部品の紛失を低減し、取り付け取り外し時の手間を軽減している。
【考案を実施するための最良の形態】
【０００６】  フラッグポール本体に旗を通した上で、旗に開けられたボタンホールとフラッグポール本体に開けられた穴を合わせ、固定機能付きナイロンバンドを通し、その固定機能付きナイロンバンドをゴルフクラブ本体に対し巻きつけるようにして取り付けることで、工具を用いる事なく固定される。また、取り外しは逆の手順で行われる。
【実施例】
【０００７】  以下、添付図面に従って一実施例を説明する。３は耐久性のプラスチックス等適宜素材にて成型されたフラッグポール本体、２は３をゴルフクラブ本体に取り付けるためのナイロン等柔軟性耐久素材にて成型された固定機能付きナイロンバンドで、３に旗５の袋状にした部分を通して２を３及び５に開けられたボタンホール６とフラッグポール本体の通し穴７に通して、２をゴルフクラブ本体１に巻きつけるようにして固定する。また、３の両端に柔軟性のあるエンドキャップ４を取り付けることでズレを抑え、１にキズなどが付く事を防ぐ。
【図面の簡単な説明】
【０００８】
【０００９】
【図１】  本考案の実施例を示す正面図である。
【図２】  本考案の図１におけるＡ−Ｂの断面図である。
【符号の説明】
【００１０】    １．  ゴルフクラブ本体
２．  固定機能付きナイロンバンド
３．  フラッグポール本体
４．  エンドキャップ
５．  旗
６．  ボタンホール
７．  通し穴
【図１】
0003117632.tif 000003
【図２】
0003117632.tif 000004
(57)【要約】      （修正有）【課題】調節材を用いることなく、刀身の柄への差し込み抜き出しが容易になり柄と刀身を組み合わせた鑑賞に好都合な小刀の柄の構造を提供する。【解決手段】柄の挿抜孔内部に刀身の差込部分を挿抜可能な程度に固定するように機能する板発条を設置する。【選択図】図１
0003117633.tif 000002
【実用新案登録請求の範囲】
【請求項１】
刀身と柄の組み合わせを替えることにより鑑賞に供される小刀の柄であって、柄の挿抜孔内部に板発条を設置することにより刀身を替える際の刀身の挿抜を容易にすることを特徴とする小刀の柄の構造
【考案の詳細な説明】
【技術分野】
【０００１】本考案は、美術品として鑑賞される小刀の柄の構造に関する。
【背景技術】
【０００２】従来、小刀の柄と刀身の組み合わせを替えるには、多くの刀身の差込部分に対応できるように大きめに設けられた挿抜孔に刀身の差込部分を適合させるため和紙等を調節材として巻いて差し込んでいた。
【考案の開示】
【考案が解決しようとする課題】
【０００３】前記調節材には柔軟性が求められるため強度は柄の強度に劣り差し込み後にがたつきが生じる一方、調節材自体は挿抜孔に収まりきらず差し込み後の姿形に影響を与え、それらが相俟って鑑賞を妨げるという不具合が合った。
【課題を解決するための手段】
【０００４】本考案の構造は、柄の挿抜孔内部に刀身の差込部分を挿抜可能な程度に固定するように機能する板発条を設置することを特徴とする。
【考案の効果】
【０００５】本考案は以上のような構造であって、挿抜孔１０２に板発条１０４を設けることにより、調節材１１２を用いることなく、刀身１０８の柄１００への差し込み抜き出しが容易になり柄１００と刀身１０８を組み合わせた鑑賞に好都合である。
【実施例】
【０００６】本考案の実施例を図面に従って説明する。図１は本考案の構造を示す。小刀は柄１００および刀身１０８の対で構成される。組み合わせられた柄１００と刀身１０８は刀身１０８の差込部分１１８が柄１００に掘削された挿抜孔１０２に差し込まれることによって結合される。本考案の特徴は挿抜孔１０２内部に板発条１０４を設けたところにある。板発条１０４は止め部１０６により挿抜孔１０２内部に固定される。【０００７】図２は従来技術により柄１００に刀身１０８を差し込んだ状態を示す。この時、挿抜孔１０２は差込部分１１０より大きく作られているので前記の和紙等の調節材１１２を差込部分１１０に巻いている。１１４は調節材１１０がはみ出している様子である。【０００８】図３は第１図に示した本考案による柄１００に刀身１０８を収めたところである。差込部分１１０が板発条１０４によって確実に固定されている。図１及び図２では板発条１０４は２個設けているが、挿抜孔１０２の大きさや形状に応じて１個ないし３個以上を用いることも可能である。また、板発条１０４につき、差込部分１１０を固定できれば、その形状は板でなくともよい。【０００９】図４は板発条１０４を挿抜孔１０２内部に固定する別の方法を示している。図４（ａ）では挿抜孔１０２内部に凸状止め部１１６を、図４（ｂ）では挿抜孔１０２内部に凹状止め部１１８を、それぞれ設けた場合の様子である。
【図面の簡単な説明】
【００１０】
【図１】本考案による柄１００の構造を示す図
【図２】従来技術による柄１００と刀身１０８の結合を示す図
【図３】本考案による柄１００と刀身１０８の結合を示す図
【図４】本考案による板発条１０４の固定方法の別種を示す図
【符号の説明】
【００１１】１００  柄
１０２  挿抜孔
１０４  板発条
１０６  止め部
１０８  刀身
１１０  差込部分
１１２  調節材
１１４  はみ出し部
１１６  凸状止め部
１１８  凹状止め部
【図１】
0003117633.tif 000003
【図２】
0003117633.tif 000004
【図３】
0003117633.tif 000005
【図４】
0003117633.tif 000006